【事件の表示】
　平成　２年特許願第４０８４４６号「排水配管付住宅ユニット」拒絶査定に対する審判事件〔平成　４年　８月１８日出願公開、特開平　４−２２８７３２、平成　８年　３月１３日出願公告、特公平　８−　２６５６７、請求項の数（２）〕について、次のとおり審決する。
【結　論】
　原査定を取り消す。
　本願の発明は、特許すべきものとする。
【理　由】
〔１〕本願発明
　本願は、平成２年１２月２７日の出願であって、その請求項１及び２に係る発明（以下、「本願発明１」及び「本願発明２」という。）は、出願公告後の平成１０年１１月５日付けの手続補正書により補正された明細書、及び図面の記載からみて、特許請求の範囲の請求項１及び２に記載されたとおりの次のものと認める。
「【請求項１】複数階層住宅用の住宅ユニット内に、水廻り設備と、該水廻り設備に接続された排水系統の各横引配管を接続するとともに水平方向に隣接配置される住宅ユニットの排水系統の横引配管を接続するための継手を有する各共用縦排水管とを配設施工したことを特徴とする排水配管付住宅ユニット。
【請求項２】複数階層住宅用の住宅ユニット内に、水廻り設備と、該水廻り設備に接続された排水系統の各横引配管を接続するとともに水平方向に隣接配置される住宅ユニットの排水系統の横引配管を接続するための継手を有する通気管とを配設したことを特徴とする排水配管付住宅ユニット。」
　
〔２〕原査定の理由
　原査定の拒絶の理由の概要は、本願発明１及び２は、本願の出願前に頒布された下記の刊行物１〜４に記載された発明に基いて、当業者が容易に発明をすることができたものであるから、特許法２９条２項の規定により特許を受けることができない、というものである。
　刊行物１：実公昭５２−２９８９８号公報
　刊行物２：パイロットハウス技術考案集、１９７１年３月２５日、株式会　　　　　社工業調査会発行、「三井造船株式会社　金属系共同住宅」の項
　刊行物３：特公昭５４−３８４１６号公報
　刊行物４：米国特許第４，５１３，５４５号明細書
　
〔３〕刊行物の記載事項
１．刊行物１には、
「ユニットバスの側壁の一角隅を高さ方向全長にわたり内側へ凹ませて、平面形状がほぼＬ形のユニットバスを構成し、前記した側壁の一角隅の凹みにより形成された凹所に上、下水管収容室を設けたことを特徴とするユニットバス。」（実用新案登録請求の範囲）、
「上、下水管収容室２１中にはユニットバス１０の高さ方向に沿って上水管２２と下水管２３とをユニットバスの成形時に取付けてもよく、浴槽１３、洗面器１４、便器１５などの排水管を下水管２３に接続し、ユニットバス据付後の配管工事をほとんど必要としないこともできる。……上、下水管２２、２３の高さはユニットバスより高く、下端はスラブ３０に予め穿けた穴３１に位置できるようになっていて、上端は階上に位置するユニットバス１０の上、下水管２２、２３に接手２４を介して接続するようになっている。」（２欄２８行〜３欄１行）の記載がある。　これらの記載、並びに第１図及び第２図によると、刊行物１には、側壁の一角隅を高さ方向全長にわたり内側に凹ませた凹所に、高さ方向に沿って下水管２３を成形時に取り付け、浴槽１３、洗面器１４、便器１５などの排水管を下水管２３に接続し、下水管２３の上端を上階のユニットバスの下水管に接手２４を介して接続する、据付後の配管工事をほとんど必要としないユニットバス、が記載されていると認められる。
２．刊行物２には、
「本提案の住宅は完全に近く工場生産化された高密度な機能を有する大型ユニットの積重ね方式による。……共同建築、中層住宅を標準……としている。」（２８１頁左欄）、
「骨組の標準化、取付け各種パネルのモデュール化、各種設備機能および家具のユニット化により、部品類の減少、取付け作業の単純化、……このように高密度に全部品が工場生産過程で取付けられる。……設備の配管関係はユニット内部に工場でセットされ現場では接合のみの作業となるため、接合個所を極力少なくし、」（２８１頁右欄）、
「２．１ユニット構成　……設備ユニット→ＵＳＰ１型」（２８２頁左欄）、
「ｃ．排水通気設備　　本排水通気系統は下記による。…図略…本設備は汚水、雑排水合流式とする。階２戸分計１０戸分を主管１本にて放流させ、上記同様管サイズは同一とする。雑排水はＰＳ内に集合トラップ１個にて処理し、各戸は排水口のみとする。台所流し排水は別に単独排水する。」（２８９頁中欄〜右欄）、
「設備の配管、配線はあらかじめユニット内にセットされているが、各ユニットの接合に関してはすべてフレキシブルな接合部品の開発により簡単に充分な精度をもって接合することができる。設備ユニットの垂直方向の接合に関しては、接合場所が一定の場所にまとめられ、かつ充分なスペースがあり作業性のよいシステムとなっている。」（２９４頁中欄）の記載がある。
　以上の記載、並びに２８２頁の「ユニットの種類」、「平面のバリエーション」の図、２８５頁の平面詳細図、２９３頁の「工場配置上における流れ図」及び２９４頁の「工程における詳細ネットワーク」の図によると、刊行物２には、複数階層住宅用の設備ユニット内に、便所、洗面室、浴室等の設備と配管を工場で取り付け、現場では接合のみの作業とし、接合個所を少なくすること、が記載されていると認められる。
３．刊行物３には、
「建物躯（原文は旧字）体を一層宛重層して組立てる建造物の架構において、予め組立てられた配管ユニットを前記建物躯体に取付けられた竪方向に延びるガイドレールに可摺動的に装架して同ガイドレールに仮締し、次いで前記配管ユニットの装架された建物躯体を下位の建物躯体上に揚重据付け、次いで上位の建物躯体のガイドレールに対する前記配管ユニットの仮締を解除して同配管ユニットをガイドレールに沿って下方に所定位置まで摺動せしめて前記ガイドレールに本締固定し、次いで前記下位の建物躯体内において前記配管ユニットの竪管及び分岐管の接続を行うことを特徴とする建造物における配管ユニットの据付工法。」（特許請求の範囲）、
「前記配管ユニットの組立及び躯体への取付は作業効率のよい工場または現場内で完了され、」（２欄３３〜３４行）、
「前記下位の建物躯体Ａ’内において前記配管ユニットＢの竪配管３と、下位の配管ユニットＢ’の竪配管３との接合及び固定を行い（第４図参照）次い
で竪配管３と分岐管９との接合作業を行う。（第５図参照）」（４欄４〜８行）の記載がある。
４．刊行物４には、
”図１〜１４において建物本体４０、４１、４３及び４４の外観及び形状が示されているが、ここで、垂直方向に積み重ねられる下段コアモジュール１、中段コアモジュール４、及び上段コアモジュール６の相関関係を等角投影図で示した図１５について言及する。……配管工事を必要とする全ての設備機器は、前記の下段、中段及び上段のコアモジュール１、４及び６の内部に置かれている。……配管工事を必要とする設備機器は、前記モジュール内において垂直方向に位置合わせされているとともに水平方向横並びに置かれるように更にグループ化され、配管工事を最低限に止めている。”（１０欄１６〜３１行）、
”図１６は配管システムが組み込まれた下段コアモジュール１の等角投影図であって、図１６には下水及び排水システムが立体図で図示されている。……建物排水管１２８は、サービスエリア５５から化粧室５４の下を通ってつながっていて、便器６３の下を通り、排水管１３０により便器６３に接続されている。主管１３１は化粧室５４の下方で水平方向に続いていて、分岐管接手１３２まで延出し、そこで当該システムは据え付け洗面台６４と接続されるとともに、キッチン５０内の二連シンク５８の方向に分岐している。……二連シンク５８の方向へ分岐管接手１３２から分岐しているシステムの当該部分について言及すると、主水平管１３６はキッチン５０の下方をシンク５８の下部へと延びて、……。管１３６は……垂直な主排水・通気管１３８とエルボー１３９において接続され、前記捕集管１３８は下段コアモジュール１の上部に向かって湿式壁１２０の全高に亘って延出している。前記垂直な主排水・通気管１３８は分岐管接手１４０を備え、副排水・通気管１４１と接続されていて、副排水・通気管１４１は同様に、下段コアモジュール１の上方に向かって湿式壁１２０の全高に亘って延出している。副排水・通気管１４１から分岐しているのは、二連シンク５８及びディスポーザ１４３のための排水管１４２である。”（１０欄６５行〜１１欄３２行）、
”図２２は、配管システムが組み込まれた中段コアモジュール４の等角投影図であって、図２２には下水及び排水システムが立体図で図示されている。……垂直な主排水・通気管１３８は中段コアの垂直な主排水・通気管１６２と接続し、…副排水・通気管１４１は中段コアの副排水管１６３と接続しており、……。図２２は、中段コアベースパレット１２３の下端から…湿式壁１２１の上部まで延びる中段コアの垂直な主排水・通気管１６２を示している。中段コアの副通気管１６３は、…据え付け洗面台７３の上方マージンを越える高さまで立ち上がり、そこで接手手段１７１により中段コアの垂直な主排水・通気管１６２と合流している。……中段の垂直な主排水・通気管１６２からの分岐は、トイレ７２のためのトイレ排水管１６４、バスタブ・シャワー７１ためのバスタブ・シャワー排水管１６５、及び水平な洗濯機排水管１６６である。……中段コア主排水・通気管１６２は中段コア湿式壁１２１内で上方につながり、手洗い７３に向かって分岐し、それにより水平な手洗い排水管１７２が形成されている。”（１２欄４１行〜１３欄２１行）
”図２８は配管システムが組み込まれた上段コアモジュール６の等角投影図であり、下水及び排水システムが立体図で図示されている。上段コアモジュール６の配管システムは、その上に設置され且つ中段コアの垂直な主排水・通気管１６２に接続された温水ヒーター１１９近傍の上段モジュールベースパレット１２７から始まっている。上段コアの垂直な主排水・通気管２０６は屋根部屋床２０７の下で分岐し、水平オーバーフローパン排水管２０８と接続している。……温水ヒーター１１９はオーバーフローパン２１１の内側に置かれてオーバーフローや漏れを排水させている。上段コアの垂直な主排水・通気管２０６は、……上段コアの垂直な主通気管２１４に接続されている。主通気管２１４は上方に延びて屈曲し、……前傾斜通気管２１６を形成している。棟木１１１の近傍では、中央屋根７の下方で前傾斜通気管２１６の最先端が三方向管接手２１７と接続し、そこからシステム通気管２１８が垂直方向に延出するとともに中央屋根７を貫通している。”（１５欄５６行〜１６欄２０行）の記載がある。
　
〔４〕対比・判断
１．本願発明１について
　まず、本願発明１と刊行物１記載の発明とを対比すると、刊行物１記載の発明の「浴槽１３、洗面器１４、便器１５」、「排水管」及び「下水管２３」は、それぞれ本願発明１の「水廻り設備」、「水廻り設備に接続された排水系統の各横引配管」及び「共用縦排水管」に相当するから、両者は、ユニット内に、水廻り設備と、該水廻り設備に接続された排水系統の各横引配管を接続する共用縦排水管とを配設施工した点で共通するところはあるが、刊行物１記載の発明は、ユニットバスであって、住宅ユニットではなく、本願発明１の「住宅ユニット内に」「水平方向に隣接配置される住宅ユニットの排水系統の横引配管を接続するための継手を有する各共用縦排水管」を配設施工した、という構成を有しておらず、示唆もしていない。
　次に、本願発明１と刊行物２記載の発明とを対比すると、刊行物２記載の発明の「設備ユニット」及び「便所、洗面室、浴室等の設備」は、本願発明１の「住宅ユニット」及び「水廻り設備」に相当する。また、刊行物２記載の発明の「配管」は、同刊行物に、配管を工場で取り付け、現場では接合のみの作業とし、接合個所を少なくすることが記載されていることを考慮すると、便所、洗面室、浴室等の設備に接続された排水系等の横引配管であることは認められるが、共用縦排水管をも意味しているのかは、２８１頁の平面詳細図を検討しても明らかではない。
　したがって、刊行物２記載の発明は、複数階層住宅用の住宅ユニット内に、水廻り設備と、該水廻り設備に接続された排水系統の各横引配管を配管施工した排水配管付き住宅ユニットである点で本願発明１と共通するが、本願発明１の「水廻り設備に接続された排水系統の各横引配管を接続するとともに水平方向に隣接配置される住宅ユニットの排水系統の横引配管を接続するための継手を有する各共用縦排水管」の構成を有しておらず、示唆もしていない。
　次に、本願発明１と刊行物３記載の発明とを対比すると、刊行物３記載の発明の「建物躯体」及び「配管ユニットの竪管」は、それぞれ本願発明１の「複数階層住宅用の住宅ユニット」及び「共用縦排水管」に相当するから、刊行物３記載の発明は、複数階層住宅用の住宅ユニット内に共用縦排水管を設けた排水配管付き住宅ユニットである点で本願発明１と共通するが、刊行物３記載の発明における建物躯体は、分岐管（本願発明１の「横引配管」に相当する。）を配設施工したものであるのか明らかではなく、そして、本願発明１の、「水平方向に隣接配置される住宅ユニットの排水系統の横引配管を接続するための継手を有する各共用縦排水管」の構成を有しておらず、示唆もしていない。
　次に、本願発明１と刊行物４記載の発明とを対比すると、刊行物４記載の発明の「上段コアモジュール」、「中段コアモジュール」及び「下段コアモジュール」は、本願発明１の「複数階層住宅用の住宅ユニット」に相当し、以下同様に、「二連シンク５８」、「ディスポーザ１４３」、「トイレ７２」、「バスタブ・シャワー７１」、「手洗い７３」及び「オーバーフローパン２１１」は「水廻り設備」に相当し、「排水管１４２」、「トイレ排水管１６４」、「バスタブ・シャワー排水管１６５」及び「水平オーバーフロー排水管２０８」は「排水系統の横引配管」に相当し、「副排水・通気管１４１　」、「主排水・通気管１６２」及び「主排水・通気管２０６」は「共用縦排水管」に相当するから、刊行物４記載の発明は、複数階層住宅用の住宅ユニット内に、水廻り設備と、該水廻り設備に接続された排水系統の各横引配管を接続する共用縦排水管を配設施工した排水配管付住宅ユニット、である点で本願発明１と共通する。しかしながら、刊行物４には、水平方向に隣接するコアモジュールの排水系統と上記各排水・通気管との関係についての記載がなく、刊行物４記載の発明は、本願発明１の「水平方向に隣接配置される住宅ユニットの排水系統の横引配管を接続するための継手を有する各共用縦排水管」の構成を有しておらず、示唆もしていない。
　そうすると、刊行物１〜４記載の発明はいずれも、本願発明１の「水平方向に隣接配置される住宅ユニットの排水系統の横引配管を接続するための継手を有する各共用縦排水管」の構成を有しておらず、示唆もしていない。そして、この構成が当該技術分野において、周知又は慣用の技術手段であるとも認められないから、本願発明１は、刊行物１〜４記載の発明に基いて、当業者が容易に発明をすることができたものとすることはできない。
　
２．本願発明２について
　まず、本願発明２と刊行物１記載の発明とを対比すると、刊行物１記載の発明は、ユニット内に、水廻り設備と、該水廻り設備に接続された排水系統の各横引配管を配設施工した点で、本願発明２と共通するところもあるが、刊行物１記載の発明は、ユニットバスであって、住宅ユニットではなく、通気管も有しておらず、本願発明１の「住宅ユニット内に」「水平方向に隣接配置される住宅ユニットの排水系統の横引配管を接続するための継手を有する通気管」を配設施工した、という構成を有しておらず、示唆もしていない。
　次に、本願発明２と刊行物２記載の発明とを対比すると、刊行物２記載の発明の「配管」は、同刊行物に、配管を工場で取り付け、現場では接合のみの作業とし、接合個所を少なくすることが記載されていることを考慮すると、便所、洗面室、浴室等の設備に接続された排水系等の横引配管であることは認められるが、通気管をも意味しているのかは、２８１頁の平面詳細図を検討しても明らかではない。
　したがって、刊行物２記載の発明は、複数階層住宅用の住宅ユニット内に、水廻り設備と、該水廻り設備に接続された排水系統の各横引配管を配管施工した排水配管付き住宅ユニット、である点で本願発明２と共通するが、本願発明２の「水平方向に隣接配置される住宅ユニットの排水系統の横引配管を接続するための継手を有する通気管」の構成を有しておらず、示唆もしていない。
　次に、本願発明２と刊行物３記載の発明とを対比すると、刊行物３記載の発明において、「配管ユニット」が通気管を備えているのか不明であり、「建物躯体」が、分岐管（本願発明２の「横引配管」に相当する。）を配設施工したものであるのかも明らかではない。そして、刊行物３記載の発明は、本願発明２の「水平方向に隣接配置される住宅ユニットの排水系統の横引配管を接続するための継手を有する通気管」の構成を有しておらず、示唆もしていない。
　本願発明２と刊行物４記載の発明とを対比すると、刊行物４記載の発明の「副排水・通気管１４１　」、「主排水・通気管１６２」及び「主排水・通気管２０６」は「通気管」に相当するから、刊行物４記載の発明は、複数階層住宅用の住宅ユニット内に、水廻り設備と、該水廻り設備に接続された排水系統の各横引配管を接続する通気管を配設施工した排水配管付住宅ユニット、である点で、本願発明２と共通する。しかしながら、刊行物４には、水平方向に隣接するコアモジュールの排水系統と上記各排水・通気管との関係についての記載がなく、刊行物４記載の発明は、本願発明２の「水平方向に隣接配置される住宅ユニットの排水系統の横引配管を接続するための継手を有する通気管」の構成を有しておらず、示唆もしていない。
　そうすると、刊行物１〜４記載の発明はいずれも、本願発明２の「水平方向に隣接配置される住宅ユニットの排水系統の横引配管を接続するための継手を有する通気管」の構成を有しておらず、示唆もしていない。そして、この構成が当該技術分野において、周知又は慣用の技術手段であるとも認められないから、本願発明２は、刊行物１〜４記載の発明に基いて、当業者が容易に発明をすることができたものとすることはできない。
　
〔５〕むすび
　以上のとおり、本願発明１及び２は、刊行物１〜４記載の発明に基いて、当業者が容易に発明をすることができたものとすることはできない。
　また、他に本願を拒絶すべき理由を発見しない。
　よって、結論のとおり審決する。